(57)【要約】【課題】毛髪と皮膚という形状・性質のまったく違う対象に、１台の装置でいかに効果的に超音波振動を作用させて美容効果を実現するか。これが本発明の解決しようとする課題である。【解決手段】施術部（２）と把持部（３）を軸支部（４）により連結して、両者が軸支部（４）を中心に二つに折り曲がって向き合う姿勢の毛髪モードと、両者が軸支部（４）を中心に反対方向に回転して直線状に並んだ姿勢の美肌モードとを切り替えるようにし、施術部（２）の正面には、断面多角形の超音波振動ローラ（５）と、ローラの回転軸に平行で出没自在な櫛部（７）と、溶液ミスト吹き出し部（８）とを設け、超音波振動ローラ（５）にはロック手段（１１）を備える。そして毛髪モードのときは、櫛部（７）を出し超音波振動ローラ（５）をロックした状態で毛髪に向けミストを出す。美肌モードのときは、櫛部（７）を引っ込め超音波振動ローラ（５）のロックは解除した状態で皮膚に向けミストを出す。
2013051693.tif 000002
【特許請求の範囲】
【請求項１】
施術部と把持部を軸支部により連結して、両者が軸支部を中心に二つに折り曲がって向き合う姿勢の毛髪モードと、両者が軸支部を中心に反対方向に回転して直線状に並んだ姿勢の美肌モードとを切り替えるようにし、
施術部の正面には、断面多角形の超音波振動ローラと、前記ローラの回転軸に平行で出没自在な櫛部と、溶液ミスト吹き出し部とを設け、超音波振動ローラには回転をロックするロック手段を備え、
毛髪モードのときは、施術部と把持部の間で毛髪を挟んだ状態で、櫛部を施術部の外に突出して毛髪を梳きながら溶液ミスト吹き出し部よりミストを吹き出し、ロック手段でロックした超音波振動ローラにより毛髪を把持部の対向面に押圧しつつ移動させ、
美肌モードのときは、施術部の正面を皮膚に向け、櫛部を施術部の内に没入して溶液ミスト吹き出し部よりミストを吹き出し、ロック手段を解除した超音波振動ローラを皮膚のうえで転動することを特徴とする毛髪トリートメント兼美肌用美容装置。
【請求項２】
前記施術部に発光部を併設し施術部の正面より発光部の光を出射することを特徴とする請求項1記載の毛髪トリートメント兼美肌用美容装置。
【請求項３】
前記把持部の対向面に電熱ヒータを設け、毛髪モードのときに挟んだ毛髪を加熱することを特徴とする請求項1記載の毛髪トリートメント兼美肌用美容装置。
【発明の詳細な説明】
【技術分野】
【０００１】
本発明は、毛髪と皮膚に対し超音波振動とミストを与えて毛髪トリートメントと美肌の両方を実現する美容装置に関する。
【背景技術】
【０００２】
超音波は、強いエネルギーを持つ振動波を発生し、菌体の粉砕、皮膚などの表層部の剥離、洗浄、発熱などの作用がある。
この振動波を毛髪に作用させると、毛髪を殺菌し表面の汚れを取り除く効果がある。トリートメント溶液と併用すれば、溶液中の栄養分を毛髪によく浸透させ、毛表皮（キューティクル）等が剥げ落ちて傷んだ毛髪を回復する毛髪トリートメント効果が期待できる。
また振動波を皮膚に作用させると、皮膚表層を殺菌して老廃物や角質層などを剥離し、ニキビ、毛穴の油、汚れ、化粧の残りなどを浮き上がらせて、皮膚表層の血行を促して組織を活性化し、筋肉の緊張をほぐしてシミ、シワ、タルミなどを除去する効果がある。このとき化粧液と併用すれば、化粧液が肌にまんべんなく拡がってその成分が肌に浸透し化粧のノリがよくなり美肌効果が期待できる。
このように超音波振動波にはトリートメント溶液や化粧液の浸透を助長する毛髪トリートメント効果や美肌効果がある。【０００３】
この事実に着目して毛髪に超音波振動を与えながらトリートメント溶液のミストを噴霧するヘアセット装置が提案されている（特許文献１）。この装置は髪を棒状の振動体の外周に巻きつける構造であることから、美肌用には使用できない。
また超音波振動板の表面に化粧液を含浸した布を被せ、これを顔に当てて化粧液を皮膚に浸透するようにした美肌装置が提案されている（特許文献２）。この装置では、超音波振動板の正面が開放し超音波振動板を毛髪に押し当てる構造にはなっていないから、毛髪トリートメント用には使用できない。【０００４】
このように超音波振動を利用して毛髪トリートメントと美肌をそれぞれ専用に行う装置は存在しても１台で両方を行う装置は見当たらない。
【先行技術文献】
【特許文献】
【０００５】
【特許文献１】特開２０１０−１７２７８
【特許文献２】特開２００４−２５５０１８
【発明の概要】
【発明が解決しようとする課題】
【０００６】
本発明は、毛髪トリートメントと美肌を1台で実現する毛髪トリートメント兼美肌用美容装置であるが、毛髪と皮膚という形状・性質のまったく違う対象に、１台の装置でいかに効果的に超音波振動を作用させて美容効果を実現するか、ということを解決課題とする。
【課題を解決するための手段】
【０００７】
そのため請求項１記載の発明では、施術部と把持部を軸支部により連結して、両者が軸支部を中心に二つに折り曲がって向き合う姿勢の毛髪モードと、両者が軸支部を中心に反対方向に回転して直線状に並んだ姿勢の美肌モードとを切り替えるようにする。
そして施術部の正面には、断面多角形の超音波振動ローラと、前記ローラの回転軸に平行で出没自在な櫛部と、溶液ミスト吹き出し部とを設け、超音波振動ローラには回転をロックするロック手段を備える。
毛髪モードのときは、施術部と把持部の間で毛髪を挟んだ状態で、櫛部を施術部の外に突出して毛髪を梳きながら溶液ミスト吹き出し部よりミストを吹き出し、ロック手段でロックした超音波振動ローラにより毛髪を把持部の対向面に押圧しつつ移動させる。
美肌モードのときは、櫛部を施術部の内に没入した状態で施術部の正面を皮膚に向けて溶液ミスト吹き出し部よりミストを吹き出し、ロック手段によるロックを解除した回転フリーの超音波振動ローラを皮膚のうえで転動することを特徴とする。【０００８】
また、請求項２記載の発明は、前記施術部に発光部を併設し施術部の正面より発光部の光を出射することを特徴とする。【０００９】
さらに、請求項３記載の発明は、前記把持部の対向面に電熱ヒータを設け、毛髪モードのときに施術部との間で挟んだ毛髪を加熱することを特徴とする。
【発明の効果】
【００１０】
請求項１に記載の発明によれば、毛髪モードのとき超音波振動ローラはロックして回転しないから、施術部と把持部の間で挟んだ毛髪に対し、超音波振動ローラの側面が常に面接触して振動を効率よく伝える。超音波振動ローラは断面多角形であるが回転しないから、ローラの側面と把持部の間隔が一定で、その間を毛髪が少ない抵抗で通過し引っ張られたりしない。
また櫛部で毛髪を梳かしながら使用するから、超音波振動ローラの全長にわたり毛髪が平均して分散する。このため溶液ミスト吹き出し部のミストが、挟んだ毛髪に隈なく行きわたり、毛髪1本1本に効率よく超音波振動が伝わり、毛髪トリートメントを効果的に実現できる。
他方、美肌モードのときは、超音波振動ローラは回転フリーで皮膚のうえを自由に転動するから、皮膚に摩擦がなくローラの移動も円滑である。そのうえ転動する過程で断面多角形の稜線が皮膚を叩くように刺激しタッピング効果を発揮するから、皮膚の血行が促進する。また皮膚には溶液ミスト吹き出し部より化粧液などのミストが吹き付けられているから、ローラの超音波振動で化粧液成分が皮膚によく浸透して美肌効果をもたらす。櫛部は、美肌モード中、皮膚に当たらないように引っ込んでいるので、皮膚を傷つけるおそれもなく安全である。
加えてこの発明では、施術部と把持部を軸支部により連結する構造だから、両者が向き合う姿勢の毛髪モードと、両者が直線状に並んだ姿勢の美肌モードとの切り替えが、軸支部を中心に回転するだけで簡単に行え、毛髪トリートメントと美肌用を１台で簡単に使い分けられるという利便性がある。【００１１】
請求項２に記載の発明によれば、発光部の光を毛髪や皮膚に照射するから、フォトケアができる。【００１２】
請求項３に記載の発明によれば、電熱ヒータにより毛髪を加熱するから、乾燥したり、まっすぐに整えたり、カールを与えたりすることができる。
【図面の簡単な説明】
【００１３】
【図１】本発明装置の毛髪モードにおける全体斜視図
【図２】図１の断面図
【図３】図１の発光部の概念図
【図４】図１の櫛部の断面図で、Ａは引っ込めた状態をＢは突き出した状態を示す。
【図５】本発明装置の美肌モードにおける全体正面図
【図６】本発明装置の溶液ミスト吹き出し部の概念図
【図７】本発明装置の超音波振動ローラの横断面図
【図８】本発明装置の超音波振動ローラの縦断面図
【図９】本発明装置のロック手段の概念図で、Ａはロック解除状態をＢはロック状態を示す。
【図１０】本発明装置のモード切替の説明図
【図１１】本発明装置の制御機構のブロック図
【発明を実施するための形態】
【００１４】
１は本発明の毛髪トリートメント兼美肌用美容装置で、施術部２と把持部３を、軸支部４を中心に旋回自在に連結した構成で、両者が二つに折り曲がって向き合う姿勢の毛髪モード（図１）と、両者が直線状に並んだ姿勢の美肌モード（図５）とに切り替え可能になっている（図１０）。
施術部２と把持部３は断面が半円形で、互いの平面部が向き合うようになっていて（図２）、
装置全体の大きさは成人女性が片手で握れる程度である。
【００１５】
施術部２の正面には、断面６角形の超音波振動ローラ５と、ローラ５の回転軸６に平行で出没自在な櫛部７と、溶液ミスト吹き出し部８とを設ける。断面の形状は６角形に限らない。多角形であればよい。
超音波振動ローラ５は中空の筒型で、その側面が施術部２の正面より外方に突出するように配置されている(図２)。ローラ５の内側には、圧電素子のようなローラ超音波振動子９が６面に１個づつ計６個取り付けてある（図７、８）。回転軸６の外周に巻いた導体１０，１０に図示しない給電ブラシを接触して回転中のローラ超音波振動子９に高周波電圧を加え、これにより超音波振動ローラ５を振動する。ローラ超音波振動子９は超音波振動ローラ５の外側に取り付けてもよい。外側の場合は振動の伝達効率がよく、内側の場合は振動子９が汚れたり傷ついたりしないという利点がある。ローラ超音波振動子９の振動数は０．５ＭＨｚ〜５ＭＨｚが好適である。
【００１６】
１１はロック手段で、下向きに開口した溝１１aに回転軸６の断面矩形部６aを挿入してロックする。１２はロック手段１１に一体のロック摘みで、これを指先で上又は下に動かしてローラ５の回転をロックしたりロック解除したりする。図９のＡはロック解除を、Ｂはロックした状態を示す。ロック手段としては回転軸６の外側を挟む構造でもよい。
櫛部７はローラ５の左右に１対あり、それぞれにネジ杆１３を一体に固着し、これを施術部２に開けた上下方向の長孔１４に挿通する。そしてネジ杆１３の端部に取り付けたネジ止め１５を緩めてネジ杆１３を長孔１４に沿って動かすことにより、櫛部７を施術部２の外に出したり引っ込めたりする。図４のＡは櫛部７を引っ込めた状態を、Ｂは外に出した状態を示す。櫛部７は図示した形状に限らない。櫛の歯の代りにブラシのブリッスル（モノフィラメント）でもよい。
溶液ミスト吹き出し部８は、無数の微細な通孔を有する薄い多孔板１６と、その背部に狭い狭小空間１７を隔ててミスト超音波振動子１８とから成り立ち、この狭小空間１７に溶液タンク１９を接続して溶液を供給すると、超音波振動により狭小空間１７の溶液が多孔板１６の小孔からミストとなって施術部２の正面に吹き出る。多孔板１６の通孔の径は２〜１００μｍが好適である。通孔は金属板をエッチングや電鋳で加工して形成する。多孔板１６は通孔の径が違うものを数種類用意して適宜交換してもよい。
２０は溶液タンク１９の補給口を閉じるキャップである。溶液タンク１９にはトリートメント溶液や化粧液を注入しておく。
【００１７】
２１は発光部で、複数個のＬＥＤ２２を帯板状の光透過板２３の裏に一列に並べた構造になっている。ＬＥＤ２２の点状の光は、光透過板２３を経由して拡散し、その端面で横広がりの線状の光となって施術部２の正面前方を照射する。光透過板２３にはＬＥＤ２２の汚れ防止の働きもある。
２４は把持部３の正面に設けた電熱ヒータである。
２５は制御部で、その出力側に電熱ヒータ２４、ＬＥＤ２２、及び高周波発生回路２６を接続し、回路２６にはミスト超音波振動子１８及びローラ超音波振動子９を接続する。制御部２５の入力側にはモード切替スイッチ２７を接続する。
【００１８】
電源を投入し、モード切替スイッチ２７を操作して毛髪モードを選択する。このときロック摘み１２は下げて超音波振動ローラ５をロック状態にし、櫛部７も施術部２の外に出しておく。
そして装置１を二つに折り曲げ、向き合った施術部２と把持部３の間に毛髪を挟んだ状態で毛先の方向に滑らす（図１、２）。ローラ５はロックして回転しないから毛髪はローラ５と把持部３の間をスムーズに通過する。
また毛髪は櫛部７で梳かされ分散し、超音波振動ローラ５の側面と電熱ヒータ２４の間に広がり、これに超音波振動が伝わる。その一方で、溶液ミスト吹き出し部８からは、溶液タンク１９の溶液たとえばトリートメント液がミストとなって吹き出し毛髪に行き渡る。これに超音波振動が加わり、溶液の成分が毛髪の深部まで浸透する。
電熱ヒータ２４に通電した場合は、その熱で毛髪が乾燥しカールなどが形成される。
またＬＥＤ２２を点灯した場合は、毛髪に対しフォトケアができる。
【００１９】
美肌モードのときは、超音波振動ローラ５のロックを解除し櫛部７も引っ込めておく。
そのうえで施術部２と把持部３を反対方向に回転して直線状に並んだ姿勢をとる（図１０の仮想線）。そして把持部３を持って超音波振動ローラ５を顔などの皮膚に当てて動かす。ローラ５は回転フリーのため皮膚の表面を軽く叩くように転がる。同時に溶液ミスト吹き出し部８からは、溶液タンク１９の溶液たとえば化粧水がミストとなって吹き出して皮膚を濡らす。これに超音波振動ローラ５の超音波振動が作用して、溶液の成分が皮膚の深部まで浸透する。
美肌モードのとき把持部３の電熱ヒータ２４はオフにするが、毛髪モードのときの余熱が残っている場合は筒状の布カバーで把持部３の全体を覆うと安全快適である。
ＬＥＤ２２を点灯した場合は、皮膚に対しフォトケアができる。
【符号の説明】
【００２０】
１  毛髪トリートメント兼美肌用美容装置
２  施術部
３  把持部
４  軸支部
５  超音波振動ローラ
６  回転軸
７  櫛部
８  溶液ミスト吹き出し部
９  ローラ超音波振動子
１１  ロック手段
１２  ロック摘み
１３  ネジ杆
１４  長孔
１５  ネジ止め
１６  多孔板
１７  狭小空間
１８  ミスト超音波振動子
１９  溶液タンク
２０  キャップ
２１  発光部
２２  ＬＥＤ
２３  光透過板
２４  電熱ヒータ
【図１】
2013051693.tif 000003
【図２】
2013051693.tif 000004
【図３】
2013051693.tif 000005
【図４】
2013051693.tif 000006
【図５】
2013051693.tif 000007
【図６】
2013051693.tif 000008
【図７】
2013051693.tif 000009
【図８】
2013051693.tif 000010
【図９】
2013051693.tif 000011
【図１０】
2013051693.tif 000012
【図１１】
2013051693.tif 000013
【国際調査報告】
2013051693.tif 000014
2013051693.tif 000015
2013051693.tif 000016
2013051693.tif 000017